(57)【要約】      （修正有）【課題】グランド、広場、河川敷等で野外スポーツ、アウトドア、諸々の大会、スポーツ観戦時、炎天下で直射日光を遮熱し熱中症から身を守ることができる傘持ち機が取り付けられる折畳椅子を提供する。【解決手段】シート状の座面部材と、複数のポール部材から構成されて柱状に折り畳み可能な椅子本体とを備えた折畳み椅子である。一端にポール把持部と他端に傘の柄を固定する傘柄把持部とを有し、全体が略直線状をなす傘持ち機を備える。ポール把持部で椅子本体を構成するポール部材の一部分を把持し、傘柄把持部で傘を保持する。【選択図】図１
0003186584.tif 000002
【実用新案登録請求の範囲】
【請求項１】
シート状の座面部材と、複数のポール部材から構成されて柱状に折り畳み可能な椅子本体とを備えた折畳み椅子において、一端にポール把持部と他端に傘の柄を固定する傘柄把持部とを有し全体が略直線状をなす傘持ち機を備え、該ポール把持部で前記椅子本体を構成するポール部材の一部分を把持し、該傘柄把持部で傘を保持することを特徴とする傘持ち機が取り付けられる折畳み椅子。
【考案の詳細な説明】
【技術分野】
【０００１】  本考案は野外活動の座席時、雨や炎天下の直射日光を遮熱し熱中症から身を守る為、座っているだけで傘がさせる（傘持ち機）が取り付けられる折畳椅子に関するものである。
【背景技術】
【０００２】  木陰、屋根、日陰の無いグランド、広場、河川敷でグランドゴルフ、野球、サッカー、諸々の大会、スポーツ観戦で座っている時、熱中症の防止として誰でも簡単に傘を指せる（傘を取り付ける事ができる折畳椅子）考案に関する。
部品は図４に示すように市販の自転車用（傘持ち機）を使用する。【０００３】  従来技術として、ビーチパラソルを装着できる折畳椅子（特許文献１）や、フィッシングチェアーと題して椅子と道具箱を合体して更にパラソルを差し込めるパイプを備えたもの（特許文献２）や、携帯用椅子付きテーブルと題して折畳式でテーブルと椅子を合体したもの（特許文献３）が知られている。なお、これらの案は、市販されているのか判りませんが市場で目にしたことはありあせん。また自転車のハンドルに傘を取り付ける自転車用傘立ても公知である（特許文献４）。
【先行技術文献】
【特許文献】
【０００４】
【特許文献１】実開平６−３３５３９号公報
【特許文献２】実開平５−９１３７号公報
【特許文献３】実開昭６１−７７８３０号公報
【特許文献４】特開２００４−１２２９０５号公報
【考案の概要】
【考案が解決しようとする課題】
【０００５】  熱中症対策、運搬、風雨対策に有効な傘を取り付けられる椅子に関する。特に市販の折畳み椅子に市販の自転車用傘持ち機を利用することで簡単に傘を取り付けられるようにすることを課題とする。
【課題を解決する為の手段】
【０００６】  本考案は、簡単に傘がさせ運搬と強風、熱中症予防を解決したもの。名称（傘持ち機が取り付けられる折畳椅子）通常の折畳椅子の肘掛け布の付いている両前先端のポールを一部自転車のハンドルと同じ太さにする。
図２の３黒く塗ったところ肘掛けの先端の布を切る事により図３の様に（傘持ち機）が４をしっかり挟む事が出来る。（傘持ち機）は走る自転車に対処する強戸の物です。（傘持ち機が取り付けられる折畳椅子）も（傘持ち機）を取り付ける部所が自転車と同じ太さですからガッチリ固定する事が出来る。傘の使用時は自分が座っている時だけ自分の体重を風対策の重石として利用する。
前記課題を解決するために、本考案は、シート状の座面部材と、複数のポール部材から構成されて柱状に折り畳み可能な椅子本体とを備えた折り畳み椅子において、一端にポール把持部と他端に傘の柄を固定する傘柄把持部とを有し全体が略直線状をなす傘持ち機を備え、該ポール把持部で前記椅子本体を構成するポール部材の一部分を把持し、該傘柄把持部で傘を保持することを特徴とする傘持ち機が取り付けられる折畳椅子である。
【考案の効果】
【０００７】  上述のように本考案は炎天下での直射日光の遮断、雨対策が基本。昨今の傘はコンパクトで実用的。日射を防ぐＵＶや遮光９９％の物もあり、熱中症から自分で身を守れます。通常の折畳椅子を図２の様に肘掛けの先端のポールの一部を自転車のハンドルの太さに替えた折畳椅子。（傘持ち機が付けられる折畳椅子）は軽く運びも便利。年配の方、女性、子供でも（傘持ち機）を簡単に取り扱えられる。
【図面の簡単な説明】
【０００８】
【図１】本考案の全体図
【図２】本考案に係る肘掛部の拡大図
【図３】本考案に係る肘掛部に傘持ち機を取り付けた状態の拡大図
【図４】市販の傘持ち機
【図５】本考案を収納した状態を示す図
【考案を実施するための形態】
【０００９】  本考案は、シート状の座面部材と、複数のポール部材から構成されて柱状に折り畳み可能な椅子本体とを備えた折り畳み椅子において、一端にポール把持部と他端に傘の柄を固定する傘柄把持部とを有し全体が略直線状をなす傘持ち機を備え、該ポール把持部で前記椅子本体を構成するポール部材の一部分を把持し、該傘柄把持部で傘を保持することを特徴とする傘持ち機が取り付けられる折畳椅子である。
通常の折畳椅子を本体として、本体の両肘掛部分の先端を利用して考案したもの。本考案は複数で使用する大きなパラソルではなく、コンパクトな傘を単独使用として市販の自転車用（傘持ち機）を利用するものである。
本体の両肘掛けの前端のポールの一部を自転車のハンドルと同じ大きさにする。自転車（傘持ち機）は、前端の太くしたポールを挟んで止める図２（傘持ち機）をポールの３黒くした所を図４の３（傘持ち機）を止める巾だけ切り込む事により挟む力が強く、尚一層（傘持ち機）が安定。強風に対処できる。
図１は、（傘持ち機が取り付けられる折畳椅子）に（傘持ち機）と傘を取り付けた全体図である。
図２は、通常の折畳椅子の左方。肘掛けの本考案の拡大図。３の黒く塗った所は（傘持ち機を止める為に器具を挟む切込み部分。図４の３の巾とする。４は自転車のハンドルと同等の太さ（傘持ち機）を取り付けるポール。ポールの両側１と２は肘掛け布です。５は椅子本体の左側座部分。
図３は、図２の本考案図に市販の（傘持ち機）取り付けた左側の拡大図。図４の１をポールに挟む。２を黒い部分に差し込み３は傘を取り付けた図。
図４は、市販の（傘持ち機）図。種類は複数ある様ですが自転車のハンドルの太さはほぼ同様です。１はポールを挟む部品。２は傘取付け部品。３は図２の３の切込み巾を示す。
図５は、（傘持ち機）の取付けられている折畳椅子の収納図面内の黒い部分は図４の１は取付けたまま畳み、２は脇に収納できる。
【００１０】  図４は市般の傘を挟む器具です。（傘持ち機）の種類は複数ありますが、どれも自転車のハンドルに付ける物で太さは一緒です。図４は１と２にはずせます。１は図３の様に（傘持ち機）を取り付けたままで椅子を折り畳む事ができます。使用場所に着けてから椅子を広げて図４の１の上方黒く塗った部所に２を差し込む事で傘を付けられる状態です。しまう時２の部品も図５の様に一緒に収納できます。
【実施例】
【００１１】  図１本考案は通常の折畳椅子では（傘持ち機）は付きませんが（傘持ち機が付けられる折畳椅子）を持つ事により（傘持ち機）が付けられます。上述しましたが、運搬の件でも通常の折畳椅子と大きさも重量もほぼ同様です。図５の様に１は取り付けたまま２も一緒に収納可能です。
傘を挟む器具は市販の自転車用の物。（傘持ち機が付けられる折畳椅子）に使用しない時は本業の自転車に使用できる。
（傘持ち機が付けられる折畳椅子）は通常の椅子としても使用可。日除け、雨の傘が必要とする時だけ（傘持ち機）の出番です。年配の方や女性、子供にも危険は無く持ち運びも軽く簡単に取り付けられます。
【符号の説明】
【００１２】図１−１，２  両肘掛け先端部（傘持ち機がつく部分）
図２−１，２  両肘掛け先端布部
図２−３      切込み部
図２−４      （傘持ち機）をはさむポール
図２−５      本体座部
図３−１      市販の傘持ち機がポールを挟む部分
図３−２      傘を取り付ける部分
図３−３      傘部
図３−４      自転車のハンドルと同等のポール
図３−５      本体座部
図４−１      ポールを挟む部分
図４−２      傘を取り付ける部分
図４−３      切込み巾
図４−４      傘取り付けねじ
図４−５      傘部
図５−１，２  収納
【図１】
0003186584.tif 000003
【図２】
0003186584.tif 000004
【図３】
0003186584.tif 000005
【図４】
0003186584.tif 000006
【図５】
0003186584.tif 000007